(57)【要約】【課題】  クレジットカード払いによる割り勘決済を容易に実現することができる売上情報処理方法、およびその方法を実施するためのクレジットカードシステムの提供。【解決手段】  クレジットカードの利用による売上が発生した場合に、前記利用に係る利用金額を示す利用金額情報を含む売上情報を生成し、生成された売上情報を蓄積し、蓄積された売上情報に基づいて決済処理を実行するクレジットカードシステム１００が、既に発生した売上の代金支払いを割り勘で行う旨の要求を受け付けた場合、受け付けた要求に係る売上情報を、蓄積されている売上情報から検索し、検索された売上情報に含まれる利用金額情報が示す利用金額の分割を実行し、当該分割の結果に基づいて、分割元の売上情報である前記検索された売上情報を更新し、しかも分割先の売上情報を生成する。【選択図】  図１ 
2005107778.tif 000002
【特許請求の範囲】
【請求項１】
クレジットカードの利用による売上が発生した場合に、前記利用に係る利用金額を示す利用金額情報を含む売上情報を生成し、生成された売上情報を蓄積し、蓄積された売上情報に基づいて決済処理を実行するクレジットカードシステムにて、前記生成された売上情報を処理する売上情報処理方法において、
前記クレジットカードシステムが、既に発生した売上の代金支払いを割り勘で行う旨の要求を受け付けた場合、受け付けた要求に係る売上情報を、蓄積されている売上情報から検索するステップと、
検索された売上情報に含まれる利用金額情報が示す利用金額の分割を実行するステップと、
当該分割の結果に基づいて、分割元の売上情報である前記検索された売上情報を更新し、しかも分割先の売上情報を生成するステップと
を有することを特徴とする売上情報処理方法。
【請求項２】
分割先に係るクレジットカードの利用者側に対して、前記利用金額の分割を承認するか否かの判断を促す旨を通知するステップを更に有し、
前記利用金額の分割を実行するステップは、分割先に係るクレジットカードの利用者側から当該分割を承認する旨の通知があった場合に、当該分割を実行する、請求項１に記載の売上情報処理方法。
【請求項３】
分割先に係るクレジットカードの利用者側から前記利用金額の分割を承認する旨の通知が所定期間なかった場合、当該分割は承認されなかったと判定するステップを更に有する、請求項２に記載の売上情報処理方法。
【請求項４】
分割元に係るクレジットカードの利用者側から分割先に係るクレジットカードの利用者側へ、前記利用金額の分割に係るコメントを通知するステップを更に有する、請求項２または請求項３に記載の売上情報処理方法。
【請求項５】
分割先に係るクレジットカードの利用者の信用残高が不足しているか否かを判定するステップと、
信用残高が不足していると判定された場合、前記利用金額の分割は承認されなかったと判定するステップと
を更に有する、請求項２乃至請求項４の何れかに記載の売上情報処理方法。
【請求項６】
クレジットカードの利用による売上が発生した場合に、前記利用に係る利用金額を示す利用金額情報を含む売上情報を生成する売上情報生成手段と、当該売上情報生成手段により生成された売上情報を記憶する売上情報記憶手段と、当該売上情報記憶手段によって記憶された売上情報に基づいて決済処理を実行する決済処理実行手段とを備えるクレジットカードシステムにおいて、
既に発生した売上の代金支払いを割り勘で行う旨の要求を受け付けた場合、受け付けた要求に係る売上情報を前記売上情報記憶手段に記憶されている売上情報から検索する検索手段と、
当該検索手段によって検索された売上情報に含まれる利用金額情報が示す利用金額の分割を実行する利用金額分割手段と、
当該利用金額分割手段により実行された分割の結果に基づいて、分割元の売上情報である前記検索された売上情報を更新する売上情報更新手段と
を備え、
前記売上情報生成手段は、前記利用金額分割手段により実行された分割の結果に基づいて、分割先の売上情報を生成するように構成されている
ことを特徴とするクレジットカードシステム。
【請求項７】
分割先に係るクレジットカードの利用者側端末装置に対して、前記利用金額の分割を承認するか否かの判断を促す旨を通知する通知手段を更に備え、
前記利用金額分割手段は、分割先に係るクレジットカードの利用者側端末装置から前記利用金額の分割を承認する旨の通知を受け付けた場合に、当該分割を実行するように構成されている、請求項６に記載のクレジットカードシステム。
【請求項８】
分割先に係るクレジットカードの利用者側端末装置から前記利用金額の分割を承認する旨の通知が所定期間なかった場合、当該分割は承認されなかったと判定する第１承認判定手段を更に備える、請求項７に記載のクレジットカードシステム。
【請求項９】
分割元に係るクレジットカードの利用者側端末装置から前記利用金額の分割に係るコメントを受け付けた場合、受け付けたコメントを分割先に係るクレジットカードの利用者側端末装置へ通知するコメント通知手段を更に備える、請求項７または請求項８に記載のクレジットカードシステム。
【請求項１０】
分割先に係るクレジットカードの利用者の信用残高が不足しているか否かを判定する信用残高判定手段と、
当該信用残高判定手段により信用残高が不足していると判定された場合、前記利用金額の分割は承認されなかったと判定する第２承認判定手段と
を更に備える、請求項７乃至請求項９の何れかに記載のクレジットカードシステム。
【発明の詳細な説明】
【技術分野】
【０００１】
本発明は、クレジットカードの利用による売上に係る売上情報を処理する売上情報処理方法に関し、特に割り勘決済を実現することができる売上情報処理方法、およびその方法を実施するためのクレジットカードシステムに関する。
【背景技術】
【０００２】
飲食店等において、複数人が金銭を出し合って勘定を行う、所謂割り勘と呼ばれる代金支払い形態がある。このような割り勘は、現金払いで行われるのが通常である。しかしながら、クレジットカード払いで割り勘を行うことができれば、利用者の利便性が格段に向上することになる。
【０００３】
このようなクレジットカード払いで割り勘を行うことを可能にするために、店頭での代金支払い時において、支払人毎に、支払い方法（現金払い、クレジットカード払い等）が指定された場合に、その指定された支払い方法にしたがって、各支払人に対する割り勘代金の決済を行うことができる取引データ処理装置が提案されている（例えば、特許文献１を参照。）。
【特許文献１】特開２００３−９９６８５号公報
【発明の開示】
【発明が解決しようとする課題】
【０００４】
しかしながら、前述した従来の取引データ処理装置の場合、店頭での代金精算のときにだれがいくら払うのかを決定しなければならない。そのため、例えば特定の者が一括して代金を支払った後に割り勘による支払にすること等ができなかった。また、店頭での代金精算当初から割り勘支払にすると決めている場合であっても、各人が支払う代金はその場で決定しなければならないため、各人が支払う代金をいくらにするのかを後に決定するようなことはできなかった。
【０００５】
また、複数人がクレジットカード払いを選択する場合、店頭にて複数枚のクレジットカードについて代金決済処理を実行する必要があるため、煩雑であり、しかも相当な時間を要するという問題があった。
【０００６】
本発明は斯かる事情に鑑みてなされたものであり、その目的は、クレジットカード払いによる割り勘決済を容易に行うことができる売上情報処理方法、およびその方法を実施するためのクレジットカードシステムを提供することにある。
【課題を解決するための手段】
【０００７】
前記課題を解決するために、本発明の売上情報処理方法は、クレジットカードの利用による売上が発生した場合に、前記利用に係る利用金額を示す利用金額情報を含む売上情報を生成し、生成された売上情報を蓄積し、蓄積された売上情報に基づいて決済処理を実行するクレジットカードシステムにて、前記生成された売上情報を処理する売上情報処理方法において、前記クレジットカードシステムが、既に発生した売上の代金支払いを割り勘で行う旨の要求を受け付けた場合、受け付けた要求に係る売上情報を、蓄積されている売上情報から検索するステップと、検索された売上情報に含まれる利用金額情報が示す利用金額の分割を実行するステップと、当該分割の結果に基づいて、分割元の売上情報である前記検索された売上情報を更新し、しかも分割先の売上情報を生成するステップとを有することを特徴とする。
【０００８】
このように、分割元および分割先の何れについても売上情報を生成することができるので、この売上情報に基づいて決済処理を実行することによって、クレジットカード払いによる割り勘決済を容易に行うことできる。
【０００９】
また、前記発明に係る売上情報処理方法において、分割先に係るクレジットカードの利用者側に対して、前記利用金額の分割を承認するか否かの判断を促す旨を通知するステップを更に有し、前記利用金額の分割を実行するステップは、分割先に係るクレジットカードの利用者側から当該分割を承認する旨の通知があった場合に、当該分割を実行することが好ましい。
【００１０】
また、前記発明に係る売上情報処理方法において、分割先に係るクレジットカードの利用者側から前記利用金額の分割を承認する旨の通知が所定期間なかった場合、当該分割は承認されなかったと判定するステップを更に有することが好ましい。
【００１１】
また、前記発明に係る売上情報処理方法において、分割元に係るクレジットカードの利用者側から分割先に係るクレジットカードの利用者側へ、前記利用金額の分割に係るコメントを通知するステップを更に有することが好ましい。
【００１２】
さらに、前記発明に係る売上情報処理方法において、分割先に係るクレジットカードの利用者の信用残高が不足しているか否かを判定するステップと、信用残高が不足していると判定された場合、前記利用金額の分割は承認されなかったと判定するステップとを更に有することが好ましい。
【００１３】
また、本発明のクレジットカードシステムは、クレジットカードの利用による売上が発生した場合に、前記利用に係る利用金額を示す利用金額情報を含む売上情報を生成する売上情報生成手段と、当該売上情報生成手段により生成された売上情報を記憶する売上情報記憶手段と、当該売上情報記憶手段によって記憶された売上情報に基づいて決済処理を実行する決済処理実行手段とを備えるクレジットカードシステムにおいて、既に発生した売上の代金支払いを割り勘で行う旨の要求を受け付けた場合、受け付けた要求に係る売上情報を前記売上情報記憶手段に記憶されている売上情報から検索する検索手段と、当該検索手段によって検索された売上情報に含まれる利用金額情報が示す利用金額の分割を実行する利用金額分割手段と、当該利用金額分割手段により実行された分割の結果に基づいて、分割元の売上情報である前記検索された売上情報を更新する売上情報更新手段と備え、前記売上情報生成手段は、前記利用金額分割手段により実行された分割の結果に基づいて、分割先の売上情報を生成するように構成されていることが好ましい。
【００１４】
また、前記発明に係るクレジットカードシステムにおいて、分割先に係るクレジットカードの利用者側端末装置に対して、前記利用金額の分割を承認するか否かの判断を促す旨を通知する通知手段を更に備え、前記利用金額分割手段は、分割先に係るクレジットカードの利用者側端末装置から前記利用金額の分割を承認する旨の通知を受け付けた場合に、当該分割を実行するように構成されていることが好ましい。
【００１５】
また、前記発明に係るクレジットカードシステムにおいて、分割先に係るクレジットカードの利用者側端末装置から前記利用金額の分割を承認する旨の通知が所定期間なかった場合、当該分割は承認されなかったと判定する第１承認判定手段を更に備えることが好ましい。
【００１６】
また、前記発明に係るクレジットカードシステムにおいて、分割元に係るクレジットカードの利用者側端末装置から前記利用金額の分割に係るコメントを受け付けた場合、受け付けたコメントを分割先に係るクレジットカードの利用者側端末装置へ通知するコメント通知手段を更に備えることが好ましい。
【００１７】
さらに、前記発明に係るクレジットカードシステムにおいて、分割先に係るクレジットカードの利用者の信用残高が不足しているか否かを判定する信用残高判定手段と、当該信用残高判定手段により信用残高が不足していると判定された場合、前記利用金額の分割は承認されなかったと判定する第２承認判定手段とを更に備えることが好ましい。
【発明の効果】
【００１８】
本発明の売上情報処理方法およびその方法を実施するためのクレジットカードシステムは、クレジットカード払いによる割り勘決済を容易に行うことができる。
【発明を実施するための最良の形態】
【００１９】
以下、本発明の実施の形態について図面を参照しながら詳述する。
【００２０】
図１は、本発明のクレジットカードシステムの構成を示すブロック図である。図１において、符号１００は、クレジットカードの利用による売上の決済処理を行うためのクレジットカードシステムを示している。クレジットカードシステム１００は、クレジットカードの利用による売上に係る売上情報を処理する売上情報処理装置１と、売上情報処理装置１と通信可能に接続され、後述するようにクレジットカードの利用金額の分割を売上情報処理装置１に対して指示する分割指示装置２とを備えている。
【００２１】
売上情報処理装置１は、クレジットカード会社の加盟店に設置され、クレジットカードの利用による売上の決済処理に必要となるデータを生成する加盟店側端末装置４，４…と通信可能に接続されている。加盟店側端末装置４，４…は、生成した当該データを適宜のタイミングで売上情報処理装置１へ送信するように構成されている。
【００２２】
また、分割指示装置２は、インターネット等の通信ネットワーク５を介して、クレジットカードの利用者によって用いられる利用者側端末装置４，４…と通信可能に接続されている。利用者側端末装置４，４…は、通信ネットワーク５を介して分割指示装置２と通信可能な端末装置であればよい。したがって、例えばパーソナルコンピュータ、ＰＤＡ（Personal Digital Assistant）、および携帯型電話機などが利用者側端末装置４，４…として用いられる。ここで、分割指示装置２と利用者側端末装置４，４…との間の通信はＨＴＴＰ（HyperTextTransferProtocol）等の通信プロトコルを用いて行われる。
【００２３】
図２は、本発明のクレジットカードシステム１００が備える売上情報処理装置１の構成を示すブロック図である。図２に示すように、売上情報処理装置１はＣＰＵ１１を備えており、ＣＰＵ１１はバスを介して後述する各ハードウェアと接続されている。そして、ＣＰＵ１１は、それらのハードウェアの動作を制御するとともに、メモリ１２にロードされるコンピュータプログラムを実行する。これにより、売上情報処理装置１は、後述する処理を実行することが可能となる。
【００２４】
メモリ１２は、例えばＤＲＡＭ又はＳＲＡＭ等で構成され、コンピュータプログラムの実行時において発生する一時的なデータ等を記憶する。
【００２５】
通信インタフェース（Ｉ／Ｆ）１３は、分割指示装置２および加盟店側端末装置３，３…と通信するためのインタフェースである。
【００２６】
ハードディスク１４は、読み書き可能な磁気ディスクなどで構成され、売上情報処理装置１の動作に必要なコンピュータプログラムおよびＯＳ（オペレーティングシステム）１５、並びに各種のデータなどを記憶している。また、このハードディスク１４には、売上情報データベース（ＤＢ）１４Ａ、カード情報ＤＢ１４Ｂ、請求情報ＤＢ１４Ｃ、および信用残高情報ＤＢ１４Ｄが記憶されている。以下、これらのデータベースの詳細について説明する。
【００２７】
売上情報ＤＢ１４Ａは、クレジットカードの利用により発生した売上に関する売上情報を記憶する。この売上情報は、加盟店側端末装置３から送信されたデータに基づいて生成される。また、後述するように、割り勘決済を行う場合においても、売上情報が生成される。なお、売上情報は、その売上情報に係る売上の決済処理が行われるときに削除される。したがって、売上情報ＤＢ１４Ａに記憶されている売上情報は、未決済の売上に係るものである。
【００２８】
図３は、売上情報ＤＢ１４Ａに記憶される売上情報のフォーマットの一例を示す概念図である。図３に示すように、売上情報は、売上計上日フィールド１１１，売上票番号フィールド１１２，売上票連番フィールド１１３，カード番号フィールド１１４，利用店舗番号フィールド１１５，利用料金フィールド１１６，および分割作業中フラグフィールド１１７等の各フィールドを有している。以下、これらの各フィールドに格納される情報について説明する。
【００２９】
売上計上日フィールド１１１にはクレジットカードの利用による売上が計上された日を示す情報が、売上票番号フィールド１１２および売上票連番フィールド１１３には売上情報を識別するための情報がそれぞれ格納されている。また、カード番号フィールド１１４にはクレジットカードのカード番号を示す情報が、利用店舗番号フィールド１１５にはクレジットカードが利用された店舗を識別する利用店舗番号を示す情報が、利用料金フィールド１１６にはクレジットカードにより利用された料金を示す情報がそれぞれ格納されている。さらに、分割作業中フラグフィールド１１７には、後述するような利用料金の分割を行われているか否かを示す情報が格納されている。
【００３０】
また、カード情報ＤＢ１４Ｂは、クレジットカードに関するカード情報を記憶する。図４は、カード情報ＤＢ１４Ｂに記憶されるカード情報のフォーマットの一例を示す概念図である。図４に示すように、カード情報は、カード番号フィールド１２１，有効期限フィールド１２２，決済口座フィールド１２３，認証用パスワードフィールド１２４、および氏名フィールド１２５等の各フィールドを有している。以下、これらの各フィールドに格納される情報について説明する。
【００３１】
カード番号フィールド１２１にはクレジットカードのカード番号を示す情報が、有効期限フィールド１２２にはクレジットーカードの有効期限を示す情報がそれぞれ格納されている。また、決済口座フィールド１２３にはクレジットカードの利用による売上の決済に係る金融機関の口座を示す情報が、認証用パスワードフィールド１２４にはクレジットカードの利用者であるか否かを認証するためのパスワードを示す情報が、氏名フィールド１２５にはクレジットカードの利用者の氏名を示す情報がそれぞれ格納されている。
【００３２】
また、請求情報ＤＢ１４Ｃは、クレジットカードの利用者に対して請求を行うために必要となる請求情報を記憶する。図５は、請求情報ＤＢ１４Ｃに記憶される請求情報のフォーマットの一例を示す概念図である。図５に示すように、請求情報は、売上計上日フィールド１３１，売上票番号フィールド１３２，売上票連番フィールド１３３，分割連番フィールド１３４，カード番号フィールド１３５，および支払約定日フィールド１３６等を有している。以下、これらの各フィールドに格納される情報について説明する。
【００３３】
売上計上日フィールド１３１にはクレジットカードの利用による売上が計上された日を示す情報が、売上票番号フィールド１３２および売上票連番フィールド１３３には売上情報を識別するための情報がそれぞれ格納されている。また、分割連番フィールド１３４には後述するようにして利用料金の分割が行われた場合にその分割を識別するための情報が、カード番号フィールド１３５にはクレジットカードのカード番号を示す情報が、支払約定日フィールド１３６にはクレジットカードの利用による売上の決済を行う特定の日を示す情報がそれぞれ格納されている。
【００３４】
さらに、信用残高情報ＤＢ１４Ｄは、クレジットカードの利用者の信用残高に関する信用残高情報を記憶する。図６は、信用残高情報ＤＢ１４Ｄに記憶される信用残高情報のフォーマットの一例を示す概念図である。図６に示すように、信用残高情報は、カード番号フィールド１４１および信用残高フィールド１４２等の各フィールドを有している。ここで、カード番号フィールド１４１にはクレジットカードのカード番号を示す情報が、信用残高フィールド１４２にはクレジットカードの利用者の信用残高を示す情報がそれぞれ格納されている。
【００３５】
図７は、本発明のクレジットカードシステム１００が備える分割指示装置２の構成を示すブロック図である。図７に示すように、分割指示装置２はＣＰＵ２１を備えており、ＣＰＵ２１はバスを介して後述する各ハードウェアと接続されている。そして、ＣＰＵ２１は、それらのハードウェアの動作を制御するとともに、メモリ２２にロードされるコンピュータプログラムを実行する。これにより、分割指示装置２は、後述する処理を実行することが可能となる。
【００３６】
メモリ２２は、例えばＤＲＡＭ又はＳＲＡＭ等で構成され、コンピュータプログラムの実行時において発生する一時的なデータ等を記憶する。
【００３７】
通信インタフェース（Ｉ／Ｆ）２３は、売上情報処理装置１および通信ネットワーク５を介して利用者側端末装置４，４…と通信するためのインタフェースである。
【００３８】
ハードディスク２４は、読み書き可能な磁気ディスクなどで構成され、分割指示装置２の動作に必要なコンピュータプログラムおよびＯＳ２５、並びに各種のデータなどを記憶している。また、このハードディスク２４には、売上分割情報ＤＢ２４Ａ、および付加情報ＤＢ２４Ｂが記憶されている。以下、これらのデータベースの詳細について説明する。
【００３９】
売上分割情報ＤＢ２４Ａは、後述するようにして行われる利用料金の分割に関する売上分割情報を記憶する。図８は、売上分割情報ＤＢ２４Ａに記憶される売上分割情報のフォーマットの一例を示す概念図である。図８に示すように、売上分割情報は、売上計上日フィールド１５１，売上票番号フィールド１５２，売上票連番フィールド１５３，カード番号フィールド１５４，分割利用料金フィールド１５５，分割連番フィールド１５６，および承認区分フィールド１５７等の各フィールドを有している。以下、これらの各フィールドに格納される情報について説明する。
【００４０】
売上計上日フィールド１５１にはクレジットカードの利用による売上が計上された日を示す情報が、売上票番号フィールド１５２および売上票連番フィールド１５３には売上情報を識別するための情報がそれぞれ格納されている。また、カード番号フィールド１５４には利用料金の分割の分割先であるクレジットカードのカード番号を示す情報が、分割利用料金フィールド１５５には後述するようにして利用料金の分割が行われた場合にその分割先の利用料金を示す情報がそれぞれ格納されている。さらに、分割連番フィールド１５６には利用料金の分割が行われた場合にその分割を識別するための情報が、承認区分フィールド１５７には利用料金の分割を分割先の利用者が承認したか否かを示す情報がそれぞれ格納されている。
【００４１】
また、付加情報ＤＢ２４Ｂは、後述するようにして行われる利用料金の分割を確認するための付加情報を記憶する。図９は、付加情報ＤＢ２４Ｂに記憶される付加情報のフォーマットの一例を示す概念図である。図９に示すように、付加情報は、売上計上日フィールド１６１，売上票番号フィールド１６２，売上票連番フィールド１６３，カード番号フィールド１６４，分割利用料金フィールド１６５，分割連番フィールド１６６，分割区分フィールド１６７，コメントフィールド１６８，および分割状況フィールド１６９等の各フィールドを有している。以下、これらの各フィールドに格納される情報について説明する。
【００４２】
売上計上日フィールド１６１にはクレジットカードの利用による売上が計上された日を示す情報が、売上票番号フィールド１６２および売上票連番フィールド１６３には売上情報を識別するための情報がそれぞれ格納されている。また、カード番号フィールド１６４には利用料金の分割の分割元であるクレジットカードのカード番号を示す情報が、利用料金フィールド１６５には後述するようにして利用料金の分割が行われた場合にその分割元の利用料金を示す情報が、分割連番フィールド１６６には利用料金の分割が行われた場合にその分割を識別するための情報がそれぞれ格納されている。さらに、分割区分フィールド１６７には例えば「利用料金を均等に分割する」または「利用料金を均等に分割した後に２割引きする」等、利用料金の分割を行うときの区分を示す情報が、コメントフィールド１６８には後述するように利用料金の分割のときに分割を依頼する分割依頼者が作成したコメントに関する情報が、分割状況フィールド１６９には利用料金の分割が行われたか否かを示す情報がそれぞれ格納されている。
【００４３】
なお、本実施の形態においては、クレジットカードシステム１００が、売上情報処理装置１と分割指示装置２とを備えて構成されているが、売上情報処理装置１および分割指示装置２の機能を果たす１台の装置によって構成されていてもよい。また、３台以上の装置が相互に通信することによってクレジットカードシステム１００を実現するようにしてもよい。
【００４４】
次に、以上のように構成された本実施の形態のクレジットカードシステム１００の動作について、フローチャートおよび表示画面上に表示される画面例を参照しながら説明する。なお、前述したように、クレジットカードの利用による売上が発生した場合、売上情報が生成され、その売上情報が売上情報ＤＢ１４Ａに格納される。以下では、既に売上情報ＤＢ１４Ａに売上情報が蓄積されているものとする。
【００４５】
［本人認証処理について］
以下、利用料金の分割を行うときに、その分割の依頼者が当該分割に係る売上のクレジットカード利用者であるか否かを確認するための本人認証処理について説明する。
【００４６】
図１０は、本人認証処理に伴う、本発明のクレジットカードシステム１００の動作の流れを説明するフローチャートである。クレジットカードの利用による代金の支払を割り勘で行うことを望む利用者（以下、分割依頼者という）は、利用者側端末装置４を用いて、割り勘のために利用料金の分割を依頼するための分割依頼情報を入力する。この入力を受け付けた利用者側端末装置４は、分割依頼情報を分割指示装置２宛に送信する（Ｓ１０１）。
【００４７】
分割指示装置２は、利用者側端末装置４から送信された分割依頼情報を受信した場合（Ｓ２０１）、本人認証を行うためにクレジットカードのカード番号および認証用のパスワード等を入力するための画面に関する認証画面情報を利用者側端末装置４宛に送信する（Ｓ２０２）。
【００４８】
利用者側端末装置４は、分割指示装置２から送信された認証画面情報を受信した場合（Ｓ１０２）、受信した認証画面情報を表示画面上に表示する（Ｓ１０３）。
【００４９】
分割依頼者は、利用者側端末装置４の表示画面上に表示されている認証画面情報にしたがって、クレジットカードのカード番号および認証用のパスワードを含む認証情報を入力する。利用者側端末装置４は、分割依頼者による認証情報の入力を受け付け（Ｓ１０４）、受け付けた認証情報を分割指示装置２宛に送信する（Ｓ１０５）。
【００５０】
分割指示装置２は、利用者側端末装置４から送信された認証情報を受信した場合（S２０３）、受信した認証情報を売上情報処理装置１宛に送信する（S２０４）。
【００５１】
売上情報処理装置１は、分割指示装置２から送信された認証情報を受信した場合（Ｓ３０１）、受信した認証情報とカード情報ＤＢ１３Ｃに格納されているカード情報とのマッチング処理を行うことにより、分割依頼者が正規に登録されているクレジットカードの利用者であるか否かの認証を行う（Ｓ３０２）。
【００５２】
ステップＳ３０２にて認証が失敗した場合（Ｓ３０２でＮＯ）、売上情報処理装置１は、認証に失敗したことを示す認証失敗情報を分割指示装置２宛に送信する（Ｓ３０３）。この認証失敗情報を分割指示装置２が受信した場合（Ｓ２０５）、分割指示装置２は、認証が失敗しことを示す画面に関する認証失敗画面情報を利用者側端末装置４宛に送信する（Ｓ２０６）。この認証失敗画面情報を利用者側端末装置４が受信した場合（Ｓ１０６）、利用者側端末装置４は、受信した認証失敗画面情報を表示画面上に表示する（Ｓ１０７）。
【００５３】
一方、ステップＳ３０２にて認証が成功した場合（Ｓ３０２でＹＥＳ）、売上情報処理装置１は、その成功した認証に係るクレジットカードについての売上情報を売上情報ＤＢ１４Ａから検索し、その検索した売上情報のうち売上計上日を示す情報等の一部の情報を含む認証成功情報を分割指示装置２宛に送信する（Ｓ３０４）。この認証成功情報を分割指示装置２が受信した場合（Ｓ２０７）、分割指示装置２は、受信した認証成功情報に含まれている売上情報の一部の情報に基づいて、売上一覧を示す画面に関する売上一覧画面情報を生成し、その売上一覧画面情報を利用者側端末装置４宛に送信する（Ｓ２０８）。この売上一覧画面情報を利用者側端末装置４が受信した場合（Ｓ１０８）、利用者側端末装置４は、受信した売上一覧画面情報を表示画面上に表示する（Ｓ１０９）。
【００５４】
［分割指示処理について］
以下、分割依頼者が利用料金の分割を指示するときの分割指示処理について説明する。
【００５５】
図１１は、前述した本人認証処理の結果、利用者側端末装置４の表示画面上に表示されている売上一覧画面情報の画面例を示す図である。図１１に示すように、この画面には、分割依頼者が所有するクレジットカードのカード番号、およびまだ決済が終了していない売上情報の一部の情報（クレジットカードの利用日（売上計上日）、利用店舗名、利用金額）が示されている。
【００５６】
分割依頼者は、図１１に示されている画面中のチェックボックスにチェックを入力することによって、利用料金の分割の対象となる売上を選択し、その後送信ボタンをクリックする。
【００５７】
図１２は、分割指示処理に伴う、本発明のクレジットカードシステム１００の動作の流れを説明するフローチャートである。利用者側端末装置４は、前述したようにして分割依頼者が送信ボタンをクリックしたことを検知した場合、チェックボックスにチェックが入力された売上、すなわち利用料金の分割の対象となる売上を識別するための分割対象情報を分割指示装置２宛に送信する（Ｓ１１１）。この分割対象情報を分割指示装置２が受信した場合（Ｓ２１１）、分割指示装置２は、受信した分割対象情報を売上情報処理装置１宛に送信する（Ｓ３１１）。
【００５８】
売上情報処理装置１は、分割指示装置２から送信された分割対象情報を受信した場合（Ｓ３１１）、受信した分割対象情報に示されている売上に係る売上情報の分割作業中フラグフィールド１１７に、分割作業中であることを示す情報を格納する（Ｓ３１２）。そして、売上情報処理装置１は、このようにして分割作業中フラグが「作業中」に設定されたことを示す設定完了情報を分割指示装置２宛に送信する（Ｓ３１３）。
【００５９】
分割指示装置２は、売上情報処理装置１から送信された設定完了情報を受信した場合（Ｓ２１３）、前述した分割対象情報に示されている売上に係る売上情報の一部の情報、および何人で割り勘をするのかを示す分割人数を入力するための情報等を含む分割指示画面情報を利用者側端末装置４宛に送信する（Ｓ２１４）。
【００６０】
利用者側端末装置４は、分割指示装置２から送信された分割指示画面情報を受信した場合（Ｓ１１２）、受信した分割指示画面情報を表示画面上に表示する（Ｓ１１３）。
【００６１】
図１３は、以上のようにして利用者側端末装置４の表示画面上に表示されている分割指示画面情報の画面例を示す図である。図１３に示すように、この画面には、分割依頼者が所有するクレジットカードのカード番号、および分割作業中である売上情報の一部の情報（クレジットカードの利用日（売上計上日）、利用店舗名、利用金額）が示されている。また、この画面には、分割人数を入力するための入力フィールド、および分割先のクレジットカードの利用者、すなわち割り勘支払を依頼される側のクレジットカードの利用者の氏名、メールアドレス、分割区分、負担金額を入力するための入力フィールドが示されている。ここで、「分割区分」は前述した付加情報の分割区分フィールドに格納される情報であり、「負担金額」は分割先のクレジットカードの利用者が負担する金額である。なお、後述するように利用料金の分割を承認するか否かは分割先のクレジットカードの利用者が決定するため、この分割先のクレジットカードの利用者のことを分割承認者と呼ぶことにする。
【００６２】
さらに、この画面には、分割依頼者が分割承認者に対して伝えるコメントを入力するための入力フィールドが示されている。このコメントは、前述した付加情報のコメントフィールド１６８に格納される情報である。
【００６３】
分割依頼者は、前述した各入力フィールドに必要な情報を入力し、その後送信ボタンをクリックする。ここで、コメントとしては、「先日は○○が美味しかったですね。」または「昨日はお疲れ様でした。××部長が大変でしたね。」など、分割依頼者が入力したものであると容易に判断できるような内容であることが望ましい。
【００６４】
図１４は、図１３に示す分割指示に係る画面において送信ボタンがクリックされた場合における、本発明のクレジットカードシステム１００の動作の流れを説明するフローチャートである。利用者側端末装置４は、前述したようにして分割依頼者が送信ボタンをクリックしたことを検知した場合、各入力フィールドに入力された情報を含む分割指示情報を分割指示装置２宛に送信する（Ｓ１２１）。
【００６５】
分割指示装置２は、利用者側端末装置４から送信された分割指示情報を受信した場合（Ｓ２２１）、受信した分割指示情報に基づいて売上分割情報を生成し（Ｓ２２２）、その生成した売上分割情報を売上分割情報ＤＢ２４Ａに登録する（Ｓ２２３）。また、分割指示装置２は、同じく分割指示情報に基づいて付加情報を生成し（Ｓ２２４）、その生成した付加情報を付加情報ＤＢ２４Ｂに登録する（Ｓ２２５）。
【００６６】
次に、分割指示装置２は、分割依頼者から分割の依頼があったことを示す情報、および特定のＵＲＬ（Uniform Resource Locator）が含まれた電子メールを、分割指示情報に含まれているメールアドレス宛に送信する（Ｓ２２６）。
【００６７】
［分割意思確認処理について］
以下、分割承認者が利用料金の分割を行うことの意思があるか否かを確認するための分割意思確認処理について説明する。
【００６８】
分割依頼者は、分割指示処理において分割指示装置２から送信された電子メールを利用者側端末装置４にて受信し、その受信した電子メールの内容を確認することにより、分割依頼者から分割の依頼があったことを知る。ここでその分割を行ってもよいと考えた場合、分割依頼者は電子メールに含まれているＵＲＬへのアクセスを試みる。
【００６９】
なお、後述するように、本発明に係るクレジットカードシステムを用いて割り勘による代金支払いを行うためには、分割承認者がクレジットカードの利用者、すなわちクレジットカードを所有している者でなければならない。したがって、分割承認者がクレジットカードを所有していない場合、たとえ分割承認者に分割の意思があったとしても、分割を行うことはできない。このように分割を行うことはできないものの、前記電子メールの内容を確認することによって、分割承認者は、クレジットカードを所有すれば、割り勘による代金支払いという利用者にとって利便性の高いサービスが享受可能であることを知ることになる。そのため、分割承認者がクレジットカードの申込みを検討することが予想される。そこで、前記電子メールに、クレジットカードの申込み等に関する情報を含めることによって、クレジットカード発行会社にとって効果的な宣伝広告を行うことが可能となる。
【００７０】
図１５は、分割意思確認処理に伴う、本発明のクレジットカードシステム１００の動作の流れを説明するフローチャートである。分割承認者による指示にしたがって、利用者側端末装置４は、電子メールに示されているＵＲＬに対してアクセスする（Ｓ１３１）。
【００７１】
分割指示装置２は、利用者側端末装置４が特定のＵＲＬにアクセスしてきたことを検知した場合、分割承認者の意思確認を行うための意思確認実行情報を売上情報処理装置１宛に送信する（Ｓ２３１）。ここで意思確認実行情報には、分割に係る売上情報を識別するための売上票番号、売上票連番を含む売上識別情報が含まれている。
【００７２】
売上情報処理装置１は、分割指示装置２から送信された意思確認実行情報を受信した場合（Ｓ３３１）、受信した意思確認実行情報に含まれている売上識別情報をキーとして売上情報ＤＢ１４Ａから売上情報を検索し（Ｓ３３２）、検索した売上情報から、売上計上日、分割依頼者のクレジットカードのカード番号および利用店舗番号を特定する（Ｓ３３３）。次に、売上情報処理装置１は、特定したカード番号をキーとしてカード情報ＤＢ１４Ｂからカード情報を検索し（Ｓ３３４）、検索したカード情報から分割依頼者の氏名を特定する（Ｓ３３５）。そして、売上情報処理装置１は、分割承認者に対して利用料金の分割の承認を促すための承認依頼情報を分割指示装置２宛に送信する（Ｓ３３６）。ここで、承認依頼情報には前述したようにして特定した利用店舗番号に係る利用店舗名、分割依頼者の氏名が含まれている。
【００７３】
分割指示装置２は、売上情報処理装置１から送信された承認依頼情報を受信した場合（Ｓ２３２）、受信した承認依頼情報に基づいて承認依頼に係る情報の入出力を行うための承認依頼画面情報を利用者端末装置４宛に送信する（Ｓ２３３）。
【００７４】
利用者側端末装置４は、分割指示装置２から送信された承認依頼画面情報を受信した場合（Ｓ１３２）、受信した承認依頼画面情報を表示画面上に表示する（Ｓ１３３）。
【００７５】
図１６は、以上のようにして利用者側端末装置４の表示画面上に表示されている承認依頼画面情報の画面例を示す図である。図１６に示すように、この画面には、利用料金の分割に係る売上の売上計上日（クレジットカードの利用日）、利用店舗名、および分割依頼者の氏名が示されている。また、この画面には、分割承認者のクレジットカードのカード番号および認証用パスワードを入力するための各入力フィールドが示されている。
【００７６】
分割承認者は、この画面に示されている情報を確認し、利用料金の分割を承認するか否かを判断する。そして、利用料金の分割を承認すると判断した場合、分割承認者は、前述した各入力フィールドにカード番号および認証用パスワードを入力し、その後送信ボタンをクリックする。
【００７７】
図１７は、図１６に示す分割承認に係る画面において送信ボタンがクリックされた場合における、本発明のクレジットカードシステム１００の動作の流れを説明するフローチャートである。利用者側端末装置４は、前述したようにして分割承認者が送信ボタンをクリックしたことを検知した場合、各入力フィールドに入力された情報を含む分割承認情報を分割指示装置２宛に送信する（Ｓ１４１）。
【００７８】
分割指示装置２は、利用者側端末装置４から送信された分割承認情報を受信した場合（Ｓ２４１）、受信した分割承認情報に基づいて分割承認者の認証処理を、図１０を参照しながら説明したＳ３０２と同様にして実行する（Ｓ２４２）。なお、以下ではこの認証処理に実行したものとして説明を続ける。
【００７９】
分割指示装置２は、売上計上日、売上票番号、売上票連番、および分割連番をキーとして売上分割情報ＤＢ２４Ａから売上分割情報を検索し（Ｓ２４３）、検索した売上分割情報から分割承認者が負担する負担金額（売上分割情報における分割利用料金）を取得する（Ｓ２４４）。また、同じく売上計上日、売上票番号、売上票連番、および分割連番をキーとして付加情報ＤＢ２４Ｂから付加情報を検索し（Ｓ２４５）、検索した付加情報からコメントを取得する（Ｓ２４６）。そして、分割指示装置２は、利用料金の分割の承認を確認するための画面に関する承認確認画面情報を利用者側端末装置４宛に送信する（Ｓ２４７）。
【００８０】
利用者側端末装置４は、分割指示装置２から送信された承認確認画面情報を受信した場合（Ｓ１４２）、受信した承認確認画面情報を表示画面上に表示する（Ｓ１４３）。
【００８１】
［分割承認確定処理について］
以下、分割承認者による利用料金の分割の承認の確定のための分割承認確定処理について説明する。
【００８２】
図１８は、前述した分割意思確認処理の結果、利用者側端末装置４の表示画面上に表示されている承認確認画面情報の画面例を示す図である。図１８に示すように、この画面には、分割承認者が所有するクレジットカードのカード番号、および利用料金の分割に係る売上の売上計上日（クレジットカードの利用日）、利用店舗名、分割承認者の負担金額、分割依頼者の氏名、分割人数、およびコメントが示されている。また、この画面には、この利用料金の分割の承認または不承認を確定するための承認／不承認チェックボックスが示されている。
【００８３】
分割承認者は、図１８に示されている画面中のチェックボックスの何れかにチェックを入力することによって、利用料金の分割の承認または不承認の確定を行い、その後送信ボタンをクリックする。
【００８４】
ここで、画面に示されているコメントが分割依頼者を容易に特定することができるものである場合、分割承認者は、当該利用料金の分割は不正なものではないと判断することができるため、承認しやすい。
【００８５】
図１９は、分割承認確定処理に伴う、本発明のクレジットカードシステム１００の動作の流れを説明するフローチャートである。利用者側端末装置４は、前述したようにして分割依頼者が送信ボタンをクリックしたことを検知した場合、承認または不承認の何れのチェックボックスにチェックが入力されたかを示す承認可否情報を分割指示装置２宛に送信する（Ｓ１５１）。この承認可否情報を分割指示装置２が受信した場合（Ｓ２５１）、分割指示装置２は、受信した承認可否情報を売上情報処理装置１宛に送信する（Ｓ２５２）。
【００８６】
売上情報処理装置１は、分割指示装置２から送信された承認可否情報を受信した場合（Ｓ３５１）、受信した承認可否情報に基づいて、分割承認者が承認または不承認の何れを確定したかを判定する（Ｓ３５２）。ここで、分割承認者が不承認を確定したと判定した場合（Ｓ３５２でＮＯ）、売上情報処理装置１は、分割承認者により不承認が確定されたことを示す不承認情報を分割指示装置２宛に送信する（Ｓ３５６）。
【００８７】
一方、ステップＳ３５２において、分割承認者が承認を確定したと判定した場合（Ｓ３５２でＹＥＳ）、売上情報処理装置１は、分割承認者のカード番号をキーとして信用残高情報ＤＢ１４Ｄから信用残高情報を検索し（Ｓ３５３）、検索した信用残高情報に基づいて残高が不足しているか否かを判定する（Ｓ３５４）。ここで、残高が不足していると判定した場合（Ｓ３５４でＹＥＳ）、売上情報処理装置１は、前述したように不承認情報を分割指示装置２宛に送信する（Ｓ３５６）。
【００８８】
これに対し、ステップＳ３５２において、残高が不足していないと判定した場合（Ｓ３５４でＮＯ）、分割承認者により承認が確定されたことを示す承認情報を分割指示装置２宛に送信する（Ｓ３５５）。
【００８９】
分割指示装置２は、売上情報処理装置１から送信された承認情報を受信した場合（Ｓ２５３）、または同じく不承認情報を受信した場合（Ｓ２５４）、受信した承認情報または不承認情報にしたがって、売上分割情報の承認区分フィールドの値を設定することにより、売上分割情報を更新する（Ｓ２５５）。
【００９０】
［分割実行処理について］
以下、利用料金の分割を実行する分割実行処理について説明する。なお、この分割実行処理は毎日、毎週、毎月等、一定の期間において所定の時刻に行われる。しかしながら、分割実行処理は、このようなバッチ処理ではなく、前述したようにして分割承認者による承認が確定される都度行うようなリアルタイム処理であってもよいことは言うまでもない。
【００９１】
図２０および図２１は、分割実行処理に伴う、本発明のクレジットカードシステム１００の動作の流れを説明するフローチャートである。売上情報処理装置１は、所定の時刻に達したときに、売上情報ＤＢ１４Ａから分割作業中フラグフィールドに「作業中」を示す情報が格納されている売上情報を抽出する（Ｓ３６１）。次に、売上情報処理装置１は、抽出した売上情報に対する分割の実行の可否を確認するための分割実行可否情報を分割指示装置２宛に送信する（Ｓ３６２）。ここで、分割実行可否情報には、前記抽出した売上情報に含まれる売上計上日、売上票番号、および売上票連番を示す情報が含まれている。
【００９２】
分割指示装置２は、売上情報処理装置１から送信された分割実行可否情報を受信した場合（Ｓ２６１）、受信した分割実行可否情報に含まれている売上計上日、売上票番号、および売上票連番を示す情報をキーとして売上分割情報ＤＢ２４Ａから売上分割情報を検索し、検索した売上分割情報の承認区分フィールドに、「承認」または「不承認」の何れかを示す情報が格納されているか否かを判定する（Ｓ２６２）。
【００９３】
ステップＳ２６２において、承認区分フィールドに「承認」または「不承認」の何れかを示す情報が格納されていない、すなわちこのフィールドがブランクとなっている売上分割情報があると判定された場合（Ｓ２６２でＮＯ）、分割指示装置２は、その承認区分フィールドがブランクとなっている売上分割情報が売上計上日から所定の期間経過した売上に係るものであるのか否かを判定する（Ｓ２６３）。
【００９４】
ステップＳ２６３において、当該売上分割情報が売上計上日から所定の期間経過した売上に係るものであると判定した場合（Ｓ２６３でＹＥＳ）、分割指示装置２は、その売上分割情報の承認区分フィールドに「不承認」を示す情報を格納することによって売上分割情報を更新する（Ｓ２６４）。そして、このようにしてステップＳ２６４を実行した場合、ステップＳ２６２において承認区分フィールドにはすべて「承認」または「不承認」の何れかを示す情報が格納されていると判定された場合（Ｓ２６２でＹＥＳ）、もしくはステップＳ２６３において売上分割情報が売上計上日から所定の期間経過した売上に係るものではないと判定した場合（Ｓ２６３でＮＯ）、分割指示装置２は、売上分割情報ＤＢ１４Ｂから承認区分フィールドに「承認」を示す情報が格納されている売上分割情報を抽出する（Ｓ２６５）。そして、分割指示装置２は、その抽出した売上分割情報を含む売上実行依頼情報を売上情報処理装置１宛に送信する（Ｓ２６６）。
【００９５】
売上情報処理装置１は、分割指示装置２から送信された売上実行依頼情報を受信した場合（Ｓ３６３）、受信した売上実行依頼情報に含まれる売上分割情報に基づいて、分割承認者の負担金額分を分割依頼者の売上に係る利用料金から減算することにより、分割依頼者に係る売上情報を更新する（Ｓ３７１）。したがって、例えば、分割依頼者の売上に係る利用料金が１万２千５百円だった場合であって、分割承認者の負担金額が３千円のときであれば、分割依頼者の利用料金が９千５百円（１万２千５百円−３千円）となるように、分割依頼者に係る売上情報を更新する。
【００９６】
次に、売上情報処理装置１は、同じく売上分割情報に基づいて、分割承認者の負担金額に係る売上情報を生成する（Ｓ３７２）。したがって、例えば、分割承認者の負担金額が３千円の場合であれば、分割承認者の利用料金が３千円となる売上情報を生成することになる。このようにして、新たに売上情報を生成した場合、売上情報処理装置１は、その生成した売上情報を売上情報ＤＢ１４Ａに登録する（Ｓ３７３）。そして、売上情報処理装置１は、分割実行が完了したことを示す分割実行完了情報を分割指示装置２宛に送信する（Ｓ３７４）。ここで、分割実行完了情報には、付加情報を識別するために必要な情報（売上票番号、売上票連番、分割連番等を示す情報）が含まれている。
【００９７】
分割指示装置２には、売上情報処理装置１から送信された分割実行完了情報を受信した場合（Ｓ２６７）、受信した分割実行完了情報に含まれている付加情報を識別するために必要な情報を用いて付加情報ＤＢ２４Ｂから付加情報を検索し、検索した付加情報の分割状況フィールドに分割処理が済んでいることを示す情報を格納することによってその付加情報の更新を行う（Ｓ２６８）。そして、分割指示装置２は、分割状況が「済」とされた付加情報に係る分割承認者宛に分割処理が行われたことを示す分割状況情報を含む電子メールを送信する（Ｓ２６９）。
【００９８】
このようにして送信された電子メールの内容を利用者側端末装置４等を用いて分割承認者が確認することによって、分割承認者は、割り勘支払が行われ、自己のクレジットカードの利用による売上が発生したことを知ることができる。
【００９９】
なお、売上情報処理装置１の売上情報ＤＢ１４Ａに格納されている売上情報に係る売上は、所定の期日に決済が行われることになる。この決済が行われる前に、クレジットカードの利用者に対して後日決済が行われることを示す請求がなされるが、その請求のときに以上のような分割処理が行われたことを分割依頼者および分割承認者に対して知らせるようにしてもよい。
【０１００】
以上のように、利用料金の分割を行う場合において、分割元の分割依頼者に係る売上情報が更新され、しかも分割先の分割依頼者に係る売上情報が生成される。これにより、店頭での代金精算のときにおいては特定の者が一括して代金をクレジットカードを利用して支払っておき、その後、他の者がそれぞれの負担分をクレジットカードを利用して支払うことが可能となる。その結果、クレジットカードの利用者の利便性を飛躍的に向上させることができる。
【図面の簡単な説明】
【０１０１】
【図１】本発明のクレジットカードシステムの構成を示すブロック図である。
【図２】本発明のクレジットカードシステムが備える売上情報処理装置の構成を示すブロック図である。
【図３】売上情報ＤＢに記憶される売上情報のフォーマットの一例を示す概念図である。
【図４】カード情報ＤＢに記憶されるカード情報のフォーマットの一例を示す概念図である。
【図５】請求情報ＤＢに記憶される請求情報のフォーマットの一例を示す概念図である。
【図６】信用残高情報ＤＢに記憶される信用残高情報のフォーマットの一例を示す概念図である。
【図７】本発明のクレジットカードシステムが備える分割指示装置の構成を示すブロック図である。
【図８】売上分割情報ＤＢに記憶される売上分割情報のフォーマットの一例を示す概念図である。
【図９】付加情報ＤＢに記憶される付加情報のフォーマットの一例を示す概念図である。
【図１０】本人認証処理に伴う、本発明のクレジットカードシステムの動作の流れを説明するフローチャートである。
【図１１】本人認証処理の結果、利用者側端末装置４の表示画面上に表示されている売上一覧画面情報の画面例を示す図である。
【図１２】分割指示処理に伴う、本発明のクレジットカードシステムの動作の流れを説明するフローチャートである。
【図１３】利用者側端末装置の表示画面上に表示されている分割指示画面情報の画面例を示す図である。
【図１４】図１３に示す分割指示に係る画面において送信ボタンがクリックされた場合における、本発明のクレジットカードシステムの動作の流れを説明するフローチャートである。
【図１５】分割意思確認処理に伴う、本発明のクレジットカードシステムの動作の流れを説明するフローチャートである。
【図１６】利用者側端末装置の表示画面上に表示されている承認依頼画面情報の画面例を示す図である。
【図１７】図１６に示す分割承認に係る画面において送信ボタンがクリックされた場合における、本発明のクレジットカードシステムの動作の流れを説明するフローチャートである。
【図１８】分割意思確認処理の結果、利用者側端末装置の表示画面上に表示されている承認確認画面情報の画面例を示す図である。
【図１９】分割承認確定処理に伴う、本発明のクレジットカードシステムの動作の流れを説明するフローチャートである。
【図２０】分割実行処理に伴う、本発明のクレジットカードシステムの動作の流れを説明するフローチャートである。
【図２１】分割実行処理に伴う、本発明のクレジットカードシステムの動作の流れを説明するフローチャートである。
【符号の説明】
【０１０２】
１      売上情報処理装置
２      分割指示装置
３      加盟店側端末装置
４      利用者側端末装置
５      通信ネットワーク
１４Ａ  売上情報ＤＢ
１４Ｂ  カード情報ＤＢ
１４Ｃ  請求情報ＤＢ
１４Ｄ  信用残高情報ＤＢ
２４Ａ  売上分割情報ＤＢ
２４Ｂ  付加情報ＤＢ
１００  クレジットカードシステム
【図１】
2005107778.tif 000003
【図２】
2005107778.tif 000004
【図３】
2005107778.tif 000005
【図４】
2005107778.tif 000006
【図５】
2005107778.tif 000007
【図６】
2005107778.tif 000008
【図７】
2005107778.tif 000009
【図８】
2005107778.tif 000010
【図９】
2005107778.tif 000011
【図１０】
2005107778.tif 000012
【図１１】
2005107778.tif 000013
【図１２】
2005107778.tif 000014
【図１３】
2005107778.tif 000015
【図１４】
2005107778.tif 000016
【図１５】
2005107778.tif 000017
【図１６】
2005107778.tif 000018
【図１７】
2005107778.tif 000019
【図１８】
2005107778.tif 000020
【図１９】
2005107778.tif 000021
【図２０】
2005107778.tif 000022
【図２１】
2005107778.tif 000023